(57)【要約】【課題】ねじれ等不具合を抑えつつ、組立やすい門扉ユニットを提供する。【解決手段】門扉パネル３と、その両側に配置された一対の縦框２とを備えた門扉ユニットＰであって、門扉パネル３は、縦框２に取付けられる縦枠４と、縦枠４と連結される横枠５とにより形成された枠体６と、枠体６内に取付けられたパネル本体７とを備え、横枠５は、その長手方向に沿って連続して形成された二個のビス孔５５，５５を備え、一方のビス孔５５に螺入されて頭部８１ａが縦框２と縦枠３とにより隠蔽されるとともに縦枠４と横枠５とを連結する第一のビス８１と、他方のビス孔５５に螺入されて縦框２、縦枠４及び横枠５を連結する第二のビス８２とを備えるように構成する。【選択図】  図１
2017227116.tif 000002
【特許請求の範囲】
【請求項１】
門扉パネルと、前記門扉パネルの両側に配置された一対の縦框とを備えた門扉ユニットであって、
前記門扉パネルは、前記縦框に取付けられる縦枠と、前記縦枠と連結される横枠とにより形成された枠体と、前記枠体内に取付けられたパネル本体とを備え、
前記横枠は、前記横枠の長手方向に沿って連続して形成された二個のビス孔を備え、
一方のビス孔に螺入されて頭部が縦框と縦枠とにより隠蔽されるとともに縦枠と横枠とを連結する第一のビスと、他方のビス孔に螺入されて縦框、縦枠及び横枠を連結する第二のビスとを備えていることをとする門扉ユニット。
【請求項２】
前記縦框はキャップを有し、
前記キャップは、縦框の開口を覆う蓋部と、縦框の長手方向に沿って形成された矩形状の中空部内に挿入される脚部とを備えており、前記脚部は、前記第二のビスを介して縦框に連結されていることを特徴とする請求項１に記載の門扉ユニット。
【発明の詳細な説明】
【技術分野】
【０００１】
本発明は、枠体に門扉パネルが取付けられた門扉ユニットに関して、特に門扉パネルの幅詰めが容易な門扉ユニットに関する。
【背景技術】
【０００２】
住宅、工場、公園等の敷地境界部や隣地境界部に沿って取付けられる塀において、人や自動車等が通行できるように門が設けられている。一般的には、門の両側端に門柱が立設されており、その門に回動可能に門扉が取付けられており、門扉の回動操作によって門を開閉できる形態のものが多く用いられている。
【０００３】
門の幅寸法は、設置場所によって求められる幅寸法が異なる場合があり、更に、施工時のわずかな施工誤差によって幅寸法が異なる場合がある。そこで、門扉パネルは、一般には所定の幅寸法のものを用意し、各設置場所に併せて門扉パネルを幅詰めして、幅方向の寸法を合わせて用いられることが多い。
【０００４】
例えば、引用文献１には、それぞれの内側の長手全長に凹溝を形成した左右両側の縦框の上下端にそれぞれ横框の両端部を突合せ、上記縦框を貫通させたねじを横框のビス孔に止着して連結する框の連結構造において、上記縦框の凹溝には補強板を嵌合するとともに、この補強板には上記縦框を貫通したねじを通すためのねじ通し部を形成した框の連結構造が提案されている。
【先行技術文献】
【特許文献】
【０００５】
【特許文献１】特開平１０−２８０８１９号公報
【発明の概要】
【発明が解決しようとする課題】
【０００６】
ところで、特許文献１に記載の框の連結構造において、縦框と横框とに更に門扉パネルを取付けることを想定すると、縦框と横框との連結はねじ１本ではねじを軸として回動しやすい等の不具合が生じるおそれがあるため、記載のように２本のねじを用いることが好ましい。一方、門扉として利用する場合は、高さが通行人の身長程度なることが多く、比較的長尺な縦框に対して、２本のねじで横框を連結しつつ、更に門扉用のパネルを框に取付ける作業は煩雑であり、縦桟と横桟との連結強度を高めつつ、施工性も高い門扉が求められていた。
【０００７】
本発明は、前記の如き問題点を解消し、ねじれ等不具合を抑えつつ、組立やすい門扉ユニットを提供するものである。
【課題を解決するための手段】
【０００８】
上記目的を達成するために、本発明は次のような構成としている。
すなわち本発明に係る門扉ユニットは、門扉パネルと、前記門扉パネルの両側に配置された一対の縦框とを備えた門扉ユニットであって、前記門扉パネルは、前記縦框に取付けられる縦枠と、前記縦枠と連結される横枠とにより形成された枠体と、前記枠体内に取付けられたパネル本体とを備え、前記横枠は、前記横枠の長手方向に沿って連続して形成された二個のビス孔を備え、一方のビス孔に螺入されて頭部が縦框と縦枠とにより隠蔽されるとともに縦枠と横枠とを連結する第一のビスと、他方のビス孔に螺入されて縦框、縦枠及び横枠を連結する第二のビスとを備えていることを特徴とするものである。
【０００９】
本発明に係る門扉ユニットにおいて、前記縦框はキャップを有し、前記キャップは、縦框の開口を覆う蓋部と、縦框の長手方向に沿って形成された矩形状の中空部内に挿入される脚部とを備えており、前記脚部は、前記第二のビスを介して縦框に連結されているようにしてもよい。
【発明の効果】
【００１０】
本発明によれば、横枠は、該横枠の長手方向に沿って連続して形成された二個のビス孔を備え、一方のビス孔に螺入されて頭部が縦框と縦枠とにより隠蔽されるとともに縦枠と横枠とを連結する第一のビスと、他方のビス孔に螺入されて縦框、縦枠及び横枠を連結する第二のビスとを備えているので、第一のビスのみで門扉パネルを組み立てることが可能となり、更に、第二のビスによって、縦框及び門扉パネルの連結と、縦枠及び横枠の連結強度の向上とを兼ねることができる。
【００１１】
また、本発明において、前記縦框はキャップを有し、前記キャップは、縦框の開口を覆う蓋部と、縦框の長手方向に沿って形成された矩形状の中空部内に挿入される脚部とを備えており、前記脚部は、前記第二のビスを介して縦框に連結されているようにすれば、キャップの連結も強固にすることができる。
【図面の簡単な説明】
【００１２】
【図１】本発明に係る門扉ユニットを用いた門の実施の一形態を示す正面図である。
【図２】図１の門扉ユニットの正面図である。
【図３】図２のＡ−Ａ断面における主要部の拡大断面図である。
【図４】図２のＢ−Ｂ断面における主要部の拡大断面図である。
【図５】図２のＣ−Ｃ断面における主要部の拡大断面図である。
【図６】図５の主要部の説明図であるである。
【図７】図１の門扉パネルの縦枠付近の説明図であるである。
【図８】縦框、縦枠及び横枠の関係を示す説明図である。
【図９】縦框、縦枠及び横枠の関係を示す説明図である。
【図１０】門扉パネルの横方向の長さを短くする場合の手順を示した説明図である。
【図１１】門扉パネルの横方向の長さを短くする場合の手順を示した説明図である。
【図１２】門扉パネルの横方向の長さを短くする場合の手順を示した説明図である。
【図１３】門扉パネルの横方向の長さを短くする場合の手順を示した説明図である。
【図１４】本発明に係る門扉ユニットの他の実施形態を示す正面図である。
【図１５】図１４のパネル本体の縦断面図である。
【図１６】図１４のＥ−Ｅ断面における拡大断面図である。
【図１７】図１４のＦ−Ｆ断面における拡大断面図である。
【図１８】本発明に係る門扉ユニットの他の実施形態の説明図である。
【図１９】図１９は図１８の一部を切り欠いた分解説明図である。
【図２０】図１９は図１８の一部を切り欠いた分解説明図である。
【図２１】図１９は図１８の一部を切り欠いた分解説明図である。
【図２２】図２０は図１９のＧ−Ｇ線の主要部の拡大断面図である。
【発明を実施するための形態】
【００１３】
次に、本発明を実施するための最良の形態について図面を参照し、具体的に説明する。
【００１４】
図１は本発明に係る門扉ユニットを用いた門の実施の一形態を示す正面図、図２は図１の門扉ユニットの正面図である。１は設置場所に立設される門柱、２は門柱１に取付けられる縦框、３は門扉パネルであって、門扉ユニットＰは、主に縦框２、門扉パネル３から構成されている。図１においては、二個の門柱１と門扉ユニットＰにより門Ｇが構成され、更に、門柱１において門扉ユニットＰと反対側にはフェンスパネルＦが配置されており、門ＧとフェンスパネルＦによりフェンスを構成している。
【００１５】
門柱１は、門Ｇの通行幅に合わせて横方向に適宜間隔をあけて配置されおり、一般に設置面に対して下端部が埋設されており、強度的に安定している鋼管が用いられる。鋼材以外に他の金属を用いてもよく、アルミニウム合金、ステンレス合金等を挙げることができる。また、支柱の耐食性や耐候性を高めるために金属めっきや塗装が施されてもよい。更に本形態では、門柱１の間に横材１１が取付けられて、正面視逆Ｕ字状となされているが、横材１１の代わりに、門柱１の上端に支柱キャップを取付けたものでもよい。
【００１６】
縦框２は、門扉ユニットＰの両側端部に配置されており、一方の縦框２はヒンジ金具１２を介して一方の門柱１に取付けられている。これにより、門扉ユニットＰは、ヒンジ金具１２を軸として回動して開閉可能となる。また他方の縦框２は、錠部２１と取っ手２２とが取付けられており、他方の門柱１に設けられた錠受け部１３と連動して、門扉ユニットＰを閉じることができる。
【００１７】
また縦框２は、一般にはアルミニウム合金による押出成型してなる長尺形材を適宜長さに切断して用いられる。アルミニウム合金以外に他の金属として、ステンレス合金や鋼材を用いてもよく、これらを用いる場合は、板材をプレス加工や曲げ加工等によって成形したものでもよい。
【００１８】
門扉パネル３は、図２に示すように、左右一対の縦枠４と上下一対の横枠５とにより形成された矩形状の枠体６に矩形状のパネル本体７が取付けられたものである。そしてパネル本体７の左右に縦框２が取付けられており門扉ユニットＰが形成されている。
【００１９】
次に、枠体６とパネル本体７との関係について詳しく説明する。図３は図２のＡ−Ａ断面における主要部の拡大断面図、図４は図２のＢ−Ｂ断面における主要部の拡大断面図である。
【００２０】
枠体６の内側で当たる、縦枠４の内側壁部４１と横枠５の側壁部５１とには、図３、図４に示すように、それぞれ長手方向に沿って溝部４２，５２が連続して形成されており、溝部４２，５２にパネル本体７の端部が挿入されて、枠体６にパネル本体７が取付けられている。
【００２１】
縦枠４は、本形態では、内側壁部４１の中央部が切り欠かれて溝部４２の開口が設けられており、開口端から枠体６の外側に当たる外側壁部４３に向けて溝部４２の側壁部４２ａが形成され、更に外側壁部４３と連続する底部４２ｂが形成されている。
【００２２】
また横枠５は、本形態では、内部が中空状に形成されるとともに、この中空状部を上下に仕切る中間壁部５ａが設けられている。更に、側壁部５１の中央部が切り欠かれて溝部５２の開口が設けられており、開口端から中間壁部５ａに向けて溝部５２の側壁部５２ａが形成され、更に中間壁部５ａと連続する底部５２ｂが形成されている。なお、下側の横枠５は、上側の横枠５を上下反転させた形態であり、詳しい説明は省略する。
【００２３】
溝部４２，５２には、ビード材４４，５３が該溝部４２，５２の長手方向に沿って配置されている。ビード材４４，５３は、いずれも断面略Ｕ字状であって、その内側にパネル本体７の端部が配置可能となるように、該ビード材４４，５３の開口方向と溝部４２，５２の開口方向が一致するように配置されている。
【００２４】
なお、ビード材４４，５３を用いず、枠体６とパネル本体７とをビス等の連結具で連結したものでもよい。
【００２５】
縦枠４は、一般にはアルミニウム合金による押出成型してなる長尺形材を適宜長さに切断して用いられる。アルミニウム合金以外に他の金属として、ステンレス合金や鋼材を用いてもよく、これらを用いる場合は、板材をプレス加工や曲げ加工等によって成形したものでもよい。
【００２６】
また横枠５は、一般にはアルミニウム合金による押出成型してなる長尺形材を適宜長さに切断して用いられる。アルミニウム合金以外に他の金属として、ステンレス合金や鋼材を用いてもよく、これらを用いる場合は、板材をプレス加工や曲げ加工等によって成形したものでもよい。
【００２７】
パネル本体７は、本形態では、合成樹脂からなるシート状の芯材の上下両面に金属板が貼着されて金属板、芯材、金属板の順に積層されて接着層を介して接着されたものであり、軽量で遮音性能に優れたものとなり好ましい。芯材の厚さは、成型性、強度、取り扱い性等を考慮すると１〜１０ｍｍが好ましく、更には１〜５ｍｍが更に好ましい。また金属板の厚さは、重量、加工性、取り扱い等を考慮すると０．０５〜１ｍｍが好ましい。かかるパネル本体７を更に軽量化するために合成樹脂からなる芯材を発泡させて、比重を軽くしたものを用いてもよい。
【００２８】
かかるパネル本体７は、金属、合成樹脂、木材、紙、セメントなどの無機材料、あるいはこれらの複合材料により作製したものでもよく、必要に応じてガラスウールやロックウールなどの吸音材を備えるようにしたものでもよい。
【００２９】
続いて、枠体６を形成する縦枠４と横枠５との関係について詳しく説明する。図５は図２のＣ−Ｃ断面における主要部の拡大断面図、図６は図５の主要部の分解説明図である。縦枠４は、本形態では、横枠５と連結する箇所において、溝部４２が切り欠かれ、内側壁部４１の一部が切り欠かれた切欠部４５が形成されている。この切欠部４５に横枠５の長手方向の端部５４が配置可能となされている。
【００３０】
続いて、門扉パネル３に対する縦框２の連結構造について詳しく説明する。図７は図１の門扉パネルの縦枠付近の分解説明図である。図７に示すように、門扉パネル３において、縦枠４の外側壁部４３には、長手方向に沿って連続してスライド溝４６が設けられている。また外側壁部４３に対向する縦框２の側面部２３には、スライド溝４６にスライド可能に係合する係合突部２４が縦框２の長手方向に沿って設けられている。これにより、係合突部２４をスライド溝４６に取付けることによって、縦框２は、縦枠４の長手方向に沿ってスライド可能に連結された状態となる。本形態では、スライド溝４６は間隔をあけて２個並設されており、それに対応して係合突部２４も二個設けられている。
【００３１】
係合突部２４とスライド溝４６とは、長手方向においては相対的にスライド可能であるが、係合突部２４の突出方向に対しては、係合突部２４はスライド溝４６から抜け出さないことが好ましい。具体的には、スライド溝４６は、底部がより広幅であり、長手方向に沿って形成された開口部の開口幅が底部より幅狭である、いわゆる蟻溝形状が好ましい。
【００３２】
続いて、縦框２、縦枠４及び横枠５との連結方法について詳しく説明する。図８，図９は縦框、縦枠及び横枠の関係を示す説明図である。まず、横枠５は、中間壁部５ａの上方に設けられた中空部に該横枠５の長手方向に沿って連続してビス孔５５が二個設けられている。そして縦枠４の外側壁部４３には、横枠５の端部５４を縦枠４の切欠部４５に通して該外側壁部４３の内側壁面に当接させた際、ビス孔５５に対応する位置に貫通孔４３ａ，４３ｂが設けられている。これにより、貫通孔４３ａ，４３ｂからビス孔５５に向けてビス８を螺入することによって、縦枠４と横枠５とを連結することができる。
【００３３】
ここで、縦枠４と横枠５とは二個のビス８によって連結される。第一のビス８１は、縦枠４と横枠５とを連結するものであり、その頭部８１ａは、外側壁部４３の貫通孔４３ａ内に収納されて、外に突出しないようになされている。これにより、図９に示すように、縦枠４をＹ方向に移動させて、縦框２に対して長手方向にスライド可能に連結させる場合、第一のビス８１は縦框２の側面部２３と干渉することがない。更に、頭部８１ａは側面部２３に隠蔽されるので、第一のビス８１は貫通孔４３ａ内から外への移動が抑制されて緩みにくくなる。
【００３４】
第二のビス８２は、縦框２の側面部２３に設けられた横方向に貫通する貫通孔２３ａ及び外側壁部４３の貫通孔４３ｂを通って横枠５の他方のビス孔５５に螺入されることによって、縦框２、縦枠４及び横枠５を互いに連結する。これにより、貫通孔２３ａの位置を適宜設定することによって、縦框２と門扉パネル３との連結位置を適宜設定することができる。更に、縦框２に対して、上下方向に複数の門扉パネル３を配置して連結することができるので、門扉パネル３において、所定の高さの門扉パネル３を複数準備しておけば、門扉ユニットＰの高さを適宜設定することができる。
【００３５】
また、第二のビス８２によって、縦框２と門扉パネル３とを連結するとともに、縦枠４及び横枠５の連結強度の向上、すなわち、縦枠４と横枠５との連結強度を高めて門扉パネル３のねじれ等の不具合の発生を抑制することができる。
【００３６】
更に、図５に示すように、縦框２の側面部２３の両端部には、前後に間隔をあけてカバー片２５が設けられ、側面部２３と二個のカバー片２５により、門扉パネル３に向けて開口する平面視略コ字状に形成されている。そして二個のカバー片２５との間に門扉パネル３の縦枠４が収納されている。これにより、正面視において、縦枠４が外部から視認されにくくなる。なお本形態では、正面視において、カバー片２５の左右方向の先端部２６と、縦枠４の内側壁部４１の位置とを合わせたものであるが、例えば、先端部２６の位置が内側壁部４１の位置を超えて、門扉パネル３の中央側に張り出した形態でもよい。
【００３７】
図１０〜図１３は、門扉パネルの横方向の長さを短くする場合の手順を示した説明図である。図１０は、一方の縦枠４を外した門扉パネル３の横断面図を示すものであって、パネル本体７の端縁に対して、横枠５の端縁が外側に突出している。これにより、設置場所の状況により、門扉パネル３を横方向に幅詰めが必要となった場合は、図１１に示すように、所定の寸法となるようにパネル本体７をＤ−Ｄで切断する。その切断部において横枠５とパネル本体７との位置が揃っているため、Ｓ方向に相対的に移動させて縦枠４を再度取付けたとしても、図１２に示すように横枠５の端部５４と縦枠４の外側壁部４３との間には幅Ｘ１だけ隙間が生じるおそれがある。ここで、パネル本体７の反対側においても、パネル本体７の端縁に対して、横枠５の端縁が外側に突出している。そこで、横枠５の端部５４を縦枠４の外側壁部４３に相対的に近づくように更にＳ方向に移動させると、パネル本体７の端部は、左右両端部ともにビード材４４の奥側に相対的に移動する。また、本形態では、ビード材４４は収縮可能な弾性材料から形成されているので、パネル本体７が更に奥に移動してビード材４４を溝部４２の奥側に押圧してビード材４４が弾性変形しうるため、図１２に示すように、切断したパネル本体７を新たに組み立てた枠体６に取付けることができる。
【００３８】
図１４〜図１７は本発明に係る門扉ユニットの他の実施形態を示す説明図であって、図１４はその正面図、図１５は図１４のパネル本体の縦断面図、図１６は図１４のＥ−Ｅ断面における拡大断面図、図１７は図１４のＦ−Ｆ断面における拡大断面図である。本形態は、図１〜図１３に示された門扉ユニットＰと比べて、主にパネル本体７の形状と、パネル本体７の端部が挿入される縦枠４，横枠５の溝部４２，５２の形態、ビード材４４，５３の形態が異なるものであり、既に説明した内容と同じ構成要素には同じ符号を付し、その説明は省略する。
【００３９】
本形態に係る門扉パネル３において、パネル本体７は、後方に向けて突出するリブ７１を上下に間隔をあけて複数個備えている。そして、縦枠４，横枠５の溝部４２，５２の幅は、パネル本体７の前面からリブ７１の突出する先端部までの距離に合わせたものとなされており、パネル本体７の端部が溝部４２，５２内に挿入されている。
【００４０】
溝部４２の奥部には、その長手方向に沿って薄板状のビード材４４が配置されている。パネル本体７の幅方向の両側端部は、溝部４２のビード材４４を溝部４２の奥側に向けて相対的に押圧した状態でパネル本体７が枠体６に取付けられる。これにより、パネル本体７は、枠体６に対して下方向への移動が抑制されるので好ましい。なお、図示しないが、ビード材４４を用いずに、パネル本体７と枠体６とをリベットやビス等の固定具を用いて固定してもよく、これら固定具とビード材４４とを併用してもよい。
【００４１】
また、本形態においても、パネル本体７の端縁に対して、横枠５の端縁が外側に突出しおり、更にビード材４４は収縮可能な弾性材料から形成されている。これにより、設置場所の状況により、門扉パネル３を横方向に幅詰めが必要となった場合には、図１０〜図１３に示したものと同様な作業によって、幅詰め作業が可能となる。
【００４２】
図１８〜図２２は、本発明にかかる門扉パネルを用いた他の実施形態を示す説明図であって、図１８は門扉パネルの説明図、図１９〜図２１は図１８の一部を切り欠いた分解説明図、図２２は図１９のＧ−Ｇ線の主要部の拡大断面図である。本形態は、図１〜図１３に示された門扉パネルＰと比べて、主に縦框の形態が異なっており、特に本形態の縦框２に取付けるキャップ９の取付構造を以下に詳しく説明するものであって、すでに説明した内容と同じ構成要素には同じ符号を付し、その説明は省略する。
【００４３】
すなわち、本形態に係る縦框２に取付けられるキャップ９は、図１８，図１９に示すように、縦框２の開口を覆う板状の蓋部９１と、縦框２の長手方向に沿って形成された矩形状の中空部２７内に挿入される脚部９２とを備えており、蓋部９１の下面側に脚部９２が配置されている。
【００４４】
脚部９２は、中空部２７内に挿入された際、縦框２の側面部２３の近傍に配置される第一の脚部９３と、縦框２の外側面部２８の近傍に配置される第二の脚部９４とを有し、それぞれの脚部９３，９４は、左右方向に貫通する貫通孔９３ａ，９４ａを有している。そして、脚部９２を中空部２７の奥まで挿入した際に、蓋部９１が縦框２の開口を覆うとともに、側面部２３の貫通孔２３ａと貫通孔９３ａの位置が一致し、側面部２３と対向する外側面部２８において第二のビス８２が貫通する貫通孔２８ａとは異なる位置に形成された左右方向に貫通する貫通孔２８ｂと、貫通孔９４ａとの位置が一致するようになされている。
【００４５】
次に、図１９において矢印の方向にキャップ９を移動して、図２０に示すように、縦框２にキャップ９を取付ける。ここで、縦桟４及び横枠５は、第一のビス８１を介して、上面部の位置を合わせて固定されており、縦框２の係合突起２４に沿って上下方向に移動可能である。
続いて、キャップ９の蓋部９１の下面部に、縦框２、縦桟４及び横枠５の上面部の位置を合わせた状態、具体的には、例えば、キャップ９の上方側への移動を阻止し、かつ、縦框２、縦桟４及び横枠５を上方側へ移動して蓋部９１に押し当てた状態で、第二のビス８２を第一の脚部９３の貫通孔９３ａから貫通孔２３ａ、更にその奥側に向けて螺入して、図２１に示すように第一の脚部９３、縦框２、縦桟４及び横枠５を第二のビス８２を介して連結する。これにより、キャップ９と、縦框２、縦桟４及び横枠５との間の隙間を可及的に狭くした状態でキャップ９を縦框２に固定することができる。この際、縦桟４及び横枠５の上面部が、縦框２の上面部より少なくとも下方に配置されていれば、門扉ユニットＰの正面側，背面側、側面側からの隙間が可及的に狭くした状態で連結することができる。
【００４６】
続いて、貫通孔２８ｂから貫通孔９４ａに向けて第三のビス８３を螺入することで、外側面部２８に第二の脚部９４を締結し、これにより、縦框２にキャップ９を強固に固定することができる。
【００４７】
本形態では、図２２に示すように、第一の脚部９３は、左右方向に薄肉の板状であって、その下部の前後方向（図２２において左右方向）の距離Ｒ１は中空部２７の前後方向の距離よりも短くなされており、その上部は中空部２７の前後方向に突出する突出部９３ｂ間の距離Ｒ３より、中空部２７の前後方向の距離Ｒ２とほぼ一致している。
【００４８】
これにより、中空部２３の奥まで脚部９２を挿入すると、第一の脚部９３と中空部２３との隙間がほとんど生じず、キャップのがたつきを防ぐことができる。また、突出部９３ｂは第一の脚部９３より左右方向に更に薄肉に形成されているので、突出部９３ｂの位置での前後方向の寸法が中空部２８の前後方向の寸法よりもわずかに広くても、第一の脚部９３を中空部２３に圧入することが可能となる。
また、第二のビス８２，第三のビス８３を介して、縦框２にキャップ９を固定する際、キャップ９の位置ずれを防ぐことができる。
【００４９】
以上、本発明の門扉ユニットについて、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００５０】
本発明によれば、ねじれ等不具合を抑えつつ、組立やすい門扉ユニットを提供することができるので、片開き型、両開き型問わず、門扉ユニットとして好適に利用できる。
【符号の説明】
【００５１】
１    門柱
１１  横材
１２  ヒンジ金具
１３  錠受け部
２    縦框
２１  錠部
２２  取っ手
２３  側面部
２３ａ  貫通孔
２４  係合突部
２５  カバー片
２６  先端部
２７  中空部
２８  外側面部
２８ａ，２８ｂ  貫通孔
３    門扉パネル
４    縦枠
４１  内側壁部
４２  溝部
４２ａ  側壁部
４２ｂ  底部
４３  外側壁部
４３ａ，４３ｂ  貫通孔
４４  ビード材
４５  切欠部
４６  スライド溝
５    横枠
５ａ  中間壁部
５１  側壁部
５２  溝部
５２ａ  側壁部
５２ｂ  底部
５３  ビード材
５４  端部
５５  ビス孔
６    枠体
７    パネル本体
７１  リブ
８    ビス
８１  第一のビス
８１ａ  頭部
８２  第二のビス
８３  第三のビス
９    キャップ
９１  蓋部
９２  脚部
９３  第一の脚部
９３ａ  貫通孔
９３ｂ  突出部
９４  第二の脚部
９４ａ  貫通孔
Ｆ    フェンスパネル
Ｇ    門
Ｐ    門扉ユニット
Ｒ１，Ｒ２，Ｒ３  距離
Ｓ    方向
Ｘ１  幅
Ｙ    方向
【図１】
2017227116.tif 000003
【図２】
2017227116.tif 000004
【図３】
2017227116.tif 000005
【図４】
2017227116.tif 000006
【図５】
2017227116.tif 000007
【図６】
2017227116.tif 000008
【図７】
2017227116.tif 000009
【図８】
2017227116.tif 000010
【図９】
2017227116.tif 000011
【図１０】
2017227116.tif 000012
【図１１】
2017227116.tif 000013
【図１２】
2017227116.tif 000014
【図１３】
2017227116.tif 000015
【図１４】
2017227116.tif 000016
【図１５】
2017227116.tif 000017
【図１６】
2017227116.tif 000018
【図１７】
2017227116.tif 000019
【図１８】
2017227116.tif 000020
【図１９】
2017227116.tif 000021
【図２０】
2017227116.tif 000022
【図２１】
2017227116.tif 000023
【図２２】
2017227116.tif 000024